(57)【要約】【課題】簡単・確実且つ安価なコネクタ抜け防止具【解決手段】コネクタ栓の筒状の接栓収容部の外周には，係止部が形成され，ケースの周面には接続部が形成され，コネクタ抜け防止具は少なくとも一端を開口して，該開口部から少なくとも前記ケースの取付け対象への取付け面を除いた部分が収納可能な空間と，ケースの側面と対向する面に開口部を切欠いて形成され，コネクタ栓の接栓収容部に形成された係止部と嵌合する凹部と，ケースに形成された接続部に対向する位置に形成した固着手段と，を備え，  前記止具の固着手段とケースの接続手段とは，コネクタ座に対してコネクタ栓が挿脱自在にできる状態で着脱自在に係止される状態と，前記止具の凹部とコネクタ栓の係止部とが，コネクタ栓の回転方向に対しては回転自在に，コネクタ栓がコネクタ座から抜ける方向に対しては抜けを防止となるようにロックされた状態と，の２様の取付状態を有する。【選択図】  図１
2006210291.tif 000002
【特許請求の範囲】
【請求項１】
対象機器のケースの側面に取付けられたコネクタ座と，当該コネクタ座に接続されてなるコネクタ栓と，の接続状態において取付けられて，一方のコネクタが他方のコネクタから抜けるのを防止するコネクタ抜け防止具において，
前記コネクタ栓に具備された前記コネクタ座に嵌挿される筒状の接栓収容部の外周には係止部が形成され，
前記ケースの周面における任意の位置には接続手段が形成され，
前記コネクタ抜け防止具は，少なくとも一端を開口して，該開口部から前記ケースの一部を収納可能な空間を有し，前記コネクタ抜け防止具を前記ケースに取付けた時に，前記コネクタ座が取付けられたケースの側面と対向配置される前記コネクタ抜け防止具の側面に，前記開口部を切欠いて形成され前記コネクタ栓に具備された接栓収容部に形成された係止部と嵌合する凹部と，前記ケースの周面に形成された接続手段に対向する位置に形成した固着手段と，を備え，
前記コネクタ抜け防止具の固着手段と前記ケースの接続手段とは，少なくとも前記コネクタ座に対して前記コネクタ栓が挿脱自在にできる状態で前記コネクタ抜け防止具と前記ケースとが着脱自在に係止された状態と，前記コネクタ抜け防止具の前記凹部と前記コネクタ栓の前記係止部とが，前記コネクタ栓の回転方向に対しては回転自在に，前記コネクタ栓が前記コネクタ座から抜ける方向に対しては抜けを防止となるように嵌合するロックされた状態と，の２様の取付状態を有するように構成したことを特徴としたコネクタ抜け防止具。
【請求項２】
対象機器のケースの側面に取付けられたコネクタ座と，当該コネクタ座に接続されてなるコネクタ栓と，の接続状態において取付けられて，一方のコネクタが他方のコネクタから抜けるのを防止するコネクタ抜け防止具を備えたテレビ共同受信機器において，
前記コネクタ栓に具備された前記コネクタ座に嵌挿される筒状の接栓収容部の外周には係止部が形成され，
前記ケースの周面における任意の位置には接続手段が形成され，
前記コネクタ抜け防止具は，少なくとも一端を開口して，該開口部から前記ケースの一部を収納可能な空間を有し，前記コネクタ抜け防止具を前記ケースに取付けた時に，前記コネクタ座が取付けられたケースの側面と対向配置される前記コネクタ抜け防止具の側面に，前記開口部を切欠いて形成され前記コネクタ栓に具備された接栓収容部に形成された係止部と嵌合する凹部と，前記ケースの周面に形成された接続手段に対向する位置に形成した固着手段と，を備え，
前記コネクタ抜け防止具の固着手段と前記ケースの接続手段とは，少なくとも前記コネクタ座に対して前記コネクタ栓が挿脱自在にできる状態で前記コネクタ抜け防止具と前記ケースとが着脱自在に係止された状態と，前記コネクタ抜け防止具の前記凹部と前記コネクタ栓の前記係止部とが，前記コネクタ栓の回転方向に対しては回転自在に，前記コネクタ栓が前記コネクタ座から抜ける方向に対しては抜けを防止となるように嵌合するロックされた状態と，の２様の取付状態を有するように構成したコネクタ抜け防止具を具備したことを特徴としたテレビ共同受信機器。
【請求項３】
テレビ受信に係る配線システムにおいて，
請求項１に記載のコネクタ抜け防止具若しくは請求項２に記載のテレビ共同受信機器を備えてなる配線システム。
【発明の詳細な説明】
【技術分野】
【０００１】
本発明は，主にテレビ共同共同受信機器に利用される同軸コネクタの接続において，一方のコネクタが他方のコネクタから抜けるのを防止するの抜け防止に関し，詳しくはそのコネクタの抜け防止具の構造と，これを用いたテレビ共同受信機器，及び配線システムに関する。
【背景技術】
【０００２】
従来，テレビ共同受信用機器のコネクタは，コネクタ栓には同軸ケーブルの編組導体と接続されるケーブル連結部と，当該ケーブル連結部の基端部に軸方向に移動可能に且つ円周方向に回転可能に枢着したリング状係合部と，前記ケーブル連結部と前記係合部との間の弾性緩衝作用を行う弾性部材とを有し，前記係合部には端面近傍の内方に突設させた係止片を備え，
コネクタ座には，該コネクタ座の周面に形成されたねじ面に設けた導入部，誘導部及び係止部の一連からなる溝を形成して，この溝に前記コネクタ栓に形成された係止片を係合させて接続する構成となっていたので，この同軸コネクタ栓は前記リング状係合部を回転操作するだけでコネクタ座に接続でき，しかも強固に取付けできた。また，前記ケーブル連結部と係合部との間に設けた弾性部材による弾性緩衝作用によって円滑に脱着操作が行える構成となっていた。
（例えば，特許文献１参照）
【０００３】
【特許文献１】特許３０３４５３４号公報
【発明の開示】
【発明が解決しようとする課題】
【０００４】
しかし，従来の同軸コネクタ栓によると，リング状係合部の端面の内方に係止片を設けたことにより，この同軸コネクタ栓は取付けられるコネクタ座に係止用の溝が形成された専用のコネクタ座でないと取付けができないことになり，前記コネクタ座は他の構成の同軸コネクタ栓を受け入れることが出来る汎用性を有していても，当該同軸コネクタ座に摺動固着させることができる一般的にあるコネクタ栓を取付けた場合は，取付け強度が落ちるといった問題が生じる。
また，この実施例に示す同軸コネクタは係止片を有するため，前記コネクタ座と一対一で使用する必要があり汎用性の点で問題があった。
また，接続の操作性の向上と，接続後の取付け強度向上のために備えられた弾性部材は，止リングによって保持された皿ばねや，コネクタ座の先端面に当接する菊型ばねと言った複数の構成部品から構成されているので，構造が複雑になると共に，延いては製品のコストアップになるといった問題があった。
そこで本願においては，こうした問題点を解決するためになされたものであり，
その目的は，簡単且つ安価にコネクタの抜け防止を行うことができるコネクタ抜け防止具を提供することにある。
他の目的は，簡単且つ安価であっても固着力の優れた接続を行うことのできる同軸コネクタの抜け防止具を提供することにある。
他の目的は，同軸ケーブルを引っ張っても抜け難い同軸コネクタを提供するための止具を提供することにある。
他の目的は，テレビ共同受信工事における設置工事が簡単に行うことができる同軸コネクタの抜け防止具を提供することにある。
他の目的は，安価で簡単な構成のコネクタの抜け防止具を具備したテレビ共同受信機器を提供することにある。
他の目的は，安価で簡単，且つ，確実にコネクタの抜けを防止できるコネクタ抜け防止具を備えた信頼性の高い配線システムを提供することにある。
【課題を解決するための手段】
【０００５】
上記課題を解決するために，請求項１の発明は，対象機器のケースの側面に取付けられたコネクタ座と，当該コネクタ座に接続されてなるコネクタ栓と，の接続状態において取付けられて，
一方のコネクタが他方のコネクタから抜けるのを防止するコネクタ抜け防止具において，前記コネクタ栓に具備された前記コネクタ座に嵌挿される筒状の接栓収容部の外周には係止部が形成され，前記ケースの周面における任意の位置には接続手段が形成され，前記コネクタ抜け防止具は，少なくとも一端を開口して，該開口部から前記ケースの一部を収納可能な空間を有し，前記コネクタ抜け防止具を前記ケースに取付けた時に，前記コネクタ座が取付けられたケースの側面と対向配置される前記コネクタ抜け防止具の側面に，前記開口部を切欠いて形成され前記コネクタ栓に具備された接栓収容部に形成された係止部と嵌合する凹部と，前記ケースの周面に形成された接続手段に対向する位置に形成した固着手段と，を備え，前記コネクタ抜け防止具の固着手段と前記ケースの接続手段とは，少なくとも前記コネクタ座に対して前記コネクタ栓が挿脱自在にできる状態で前記コネクタ抜け防止具と前記ケースとが着脱自在に係止された状態と，前記コネクタ抜け防止具の前記凹部と前記コネクタ栓の前記係止部とが，前記コネクタ栓の回転方向に対しては回転自在に，前記コネクタ栓が前記コネクタ座から抜ける方向に対しては抜けを防止となるように嵌合するロックされた状態と，の２様の取付状態を有するように構成した。
【０００６】
請求項２の発明は，対象機器のケースの側面に取付けられたコネクタ座と，当該コネクタ座に接続されてなるコネクタ栓と，の接続状態において取付けられて，一方のコネクタが他方のコネクタから抜けるのを防止するコネクタ抜け防止具を備えたテレビ共同受信機器において，
前記コネクタ栓に具備された前記コネクタ座に嵌挿される筒状の接栓収容部の外周には係止部が形成され，前記ケースの周面における任意の位置には接続手段が形成され，前記コネクタ抜け防止具は，少なくとも一端を開口して，該開口部から前記ケースの一部を収納可能な空間を有し，前記コネクタ抜け防止具を前記ケースに取付けた時に，前記コネクタ座が取付けられたケースの側面と対向配置される前記コネクタ抜け防止具の側面に，前記開口部を切欠いて形成され前記コネクタ栓に具備された接栓収容部に形成された係止部と嵌合する凹部と，前記ケースの周面に形成された接続手段に対向する位置に形成した固着手段と，を備え，前記コネクタ抜け防止具の固着手段と前記ケースの接続手段とは，少なくとも前記コネクタ座に対して前記コネクタ栓が挿脱自在にできる状態で前記コネクタ抜け防止具と前記ケースとが着脱自在に係止された状態と，前記コネクタ抜け防止具の前記凹部と前記コネクタ栓の前記係止部とが，前記コネクタ栓の回転方向に対しては回転自在に，前記コネクタ栓が前記コネクタ座から抜ける方向に対しては抜けを防止となるように嵌合するロックされた状態と，の２様の取付状態を有するように構成したコネクタ抜け防止具を具備した。
【０００７】
請求項３の発明は，テレビ受信に係る配線システムにおいて，請求項１に記載のコネクタ抜け防止具若しくは請求項２に記載のテレビ共同受信機器を備えて構成した。
【発明の効果】
【０００８】
請求項１の発明によれば，対象機器のケースの側面に取付けられたコネクタ座と，当該コネクタ座に接続されてなるコネクタ栓と，の接続状態において取付けられて，
一方のコネクタが他方のコネクタから抜けるのを防止するコネクタ抜け防止具において，前記コネクタ栓に具備された前記コネクタ座に嵌挿される筒状の接栓収容部の外周には係止部が形成され，前記ケースの周面における任意の位置には接続手段が形成され，前記コネクタ抜け防止具は，少なくとも一端を開口して，該開口部から前記ケースの一部を収納可能な空間を有し，前記コネクタ抜け防止具を前記ケースに取付けた時に，前記コネクタ座が取付けられたケースの側面と対向配置される前記コネクタ抜け防止具の側面に，前記開口部を切欠いて形成され前記コネクタ栓に具備された接栓収容部に形成された係止部と嵌合する凹部と，前記ケースの周面に形成された接続手段に対向する位置に形成した固着手段と，を備え，前記コネクタ抜け防止具の固着手段と前記ケースの接続手段とは，少なくとも前記コネクタ座に対して前記コネクタ栓が挿脱自在にできる状態で前記コネクタ抜け防止具と前記ケースとが着脱自在に係止された状態と，前記コネクタ抜け防止具の前記凹部と前記コネクタ栓の前記係止部とが，前記コネクタ栓の回転方向に対しては回転自在に，前記コネクタ栓が前記コネクタ座から抜ける方向に対しては抜けを防止となるように嵌合するロックされた状態と，の２様の取付状態を有するように構成したので，
コネクタに複雑な機構や，精度の要する部品等を付加することなく，コネクタ同士を摺動固着して接続するようなプラグ方式のコネクタ接続においても，簡単且つ安価な構造で，一方のコネクタが他方のコネクタから抜けることを防止することができるコネクタ抜け防止具を提供できる。
また，コネクタ栓とコネクタ座とを螺合させて螺子によって接続するような場合であっても，コネクタ同士の接続の緩み防止にも利用できる汎用性の高いコネクタ抜け防止具を提供できる。
更にこのコネクタ抜け防止具は取付け対象のケースに，コネクタの挿脱を自在とするように係止した状態に連結しておくことによって，製品の梱包が簡単になるばかりでなく，設置の現場で落下してしまったり，紛失してしまったりするようなこともないのである。  更にコネクタの接続が済んだのならば，例えばコネクタ抜け防止具を更にケースに向かってスライドさせてロックすることによって，簡単且つ確実にコネクタの接続を維持できるのである。
【０００９】
請求項２の発明によれば，対象機器のケースの側面に取付けられたコネクタ座と，当該コネクタ座に接続されてなるコネクタ栓と，の接続状態において取付けられて，一方のコネクタが他方のコネクタから抜けるのを防止するコネクタ抜け防止具を備えたテレビ共同受信機器において，
前記コネクタ栓に具備された前記コネクタ座に嵌挿される筒状の接栓収容部の外周には係止部が形成され，前記ケースの周面における任意の位置には接続手段が形成され，前記コネクタ抜け防止具は，少なくとも一端を開口して，該開口部から前記ケースの一部を収納可能な空間を有し，前記コネクタ抜け防止具を前記ケースに取付けた時に，前記コネクタ座が取付けられたケースの側面と対向配置される前記コネクタ抜け防止具の側面に，前記開口部を切欠いて形成され前記コネクタ栓に具備された接栓収容部に形成された係止部と嵌合する凹部と，前記ケースの周面に形成された接続手段に対向する位置に形成した固着手段と，を備え，前記コネクタ抜け防止具の固着手段と前記ケースの接続手段とは，少なくとも前記コネクタ座に対して前記コネクタ栓が挿脱自在にできる状態で前記コネクタ抜け防止具と前記ケースとが着脱自在に係止される状態と，前記コネクタ抜け防止具の前記凹部と前記コネクタ栓の前記係止部とが，前記コネクタ栓の回転方向に対しては回転自在に，前記コネクタ栓が前記コネクタ座から抜ける方向に対しては抜けを防止となるように嵌合するロックされた状態と，の２様の取付状態を有するように構成したコネクタ抜け防止具を具備したので，
例えば分配器に代表されるコネクタ座を有するテレビ共同受信機器を，天井等の設置工事のやりにくい場所に設置する場合の従来例のような，分配器等を天井等に設置してから，コネクタ栓が取付けられて所定ケーブル長に加工された同軸ケーブルを，前記分配器のコネクタ座に接続する方法において，通常の共同受信工事の場合は，接続の信頼性を高めるためにコネクタ栓とコネクタ座とは雌螺子と雄螺子を螺合させて固着するように構成されたものを用い，例えば脚立や足場に乗った不安定な状態で上を向きながら，同軸ケーブルを設置場所の形状に合わせてから，レンチ等を用いてコネクタ栓をコネクタ座に固着する必要があったのであるが，本願の止具を用いることによって，コネクタ栓とコネクタ座とが摺動固着によって摺動固着される取付け性の容易なコネクタであっても，例えば予め同軸ケーブルの接続を，工事が簡単で且つ安全に行える床面等で行った後に，本願の止具を取付けておくことによって，コネクタ栓はコネクタ座に対して回転方向には回転自在に，抜け方向に対しては抜けないように固着されることから，同軸ケーブルの取付け後に分配器を天井等に設置するだけでよく，設置工事が簡単且つ安全にすることができるのである。
また，コネクタ抜け防止具は製品出荷の状態において，コネクタ栓が挿脱自在となるようにケースに対して係止状態にしておくことによって，上述のようにケースを上下反対となるような状態で設置したとしても落下することがなく，コネクタ栓を取付けてから前記コネクタ抜け防止具をスライドロックするだけで確実に接続の状態を維持できるテレビ共同受信機器を提供できるのである。
【００１０】
請求項３の発明は，テレビ受信に係る配線システムにおいて，請求項１に記載のコネクタ抜け防止具若しくは請求項２に記載のテレビ共同受信機器を備えて構成したので
配線システムが簡単且つ安全に構築できると共に，信頼性の高い配線システムを提供できる。
【発明を実施するための最良の形態】
【００１１】
以下に，本発明を具体化した実施形態の例を，図面を基に詳細に説明する。
図１は本願に係るコネクタ抜け防止具の実施形態を示す斜視図であり，図２（ａ）は図１に示す実施形態の一部を破断した側面図であり，（ｂ）は異なる実施例の側面図である。図３（ａ），（ｂ）はコネクタ栓の係止部の形状を示す実施例の側面図である。図４（ａ），（ｃ）はコネクタ抜け防止具の２様の取付状態を示す一部を破断した側面図であり，（ｂ）はその途中における状態を示す側面図である。図５は図４の各Ａ−Ａ線に対応し応した一部破断の断面図である。図６は異なる実施例を示す斜視図である。図７は共同受信機器の取付け工事の一方法を示したものである。
【実施例１】
【００１２】
図を基に本願のコネクタ抜け防止具１０について説明する。尚，本願の実施例については説明を簡単に行うために，本願のコネクタ抜け防止具１０を利用するのに好適な例として，テレビ共同受信機器における分配器１を使って説明する。
本願の実施例では分配器１は２分配器であり，入力端子ＩＮに入力された信号は２つの出力端子ＯＵＴ１，ＯＵＴ２から分配されて出力される。この分配器に内蔵された分配回路は，一方を開口させ内部に空間を有するように，金属材料を金型で成型したケース２に収納されており，ケース２の内部で前記入力端子ＩＮ，出力端子ＯＵＴ１，ＯＵＴ２と接続されて外部と接続できるように形成されている。
入力端子ＩＮ及び出力端子ＯＵＴ１，ＯＵＴ２は，請求項に示すコネクタ座を構成しており，本願の実施例では前記ケース２と一体的に形成され，夫々の端子の周面には雄螺子が形成されている。尚，前記コネクタ座はケース２と別体に形成した物を圧着・カシメ等によって組付けたものであっても良い。
更に，ケース２の開口部には金属材料でプレス加工した蓋体２ａが圧入等で取付けられている。
３，３，・・・は略中央部に透孔３ａ，３ａ，・・・を備えた係止爪であり，前記透孔に木ネジ等を挿通させて，該木ネジを取付け対象に螺着させることによって前記分配器１を固定するためのものである。
５はケース２の周面に一体的に形成された接続手段であり，本願の実施例ではケース２の左右の側面に凹部を一対形成したものである。尚，この接続手段５はこの実施例に限定されるものではなく所定箇所に所定数具備させてもよい。６は分配器１の型式や電気的特性等を表示するための銘板であり，ケース２の上面に粘着テープ等で固着されている。
【００１３】
７，８，９は先端部に同軸Ｆ型コネクタ栓を取付けた同軸ケーブルである。本願の実施例に示すこの同軸Ｆ型コネクタは，前記コネクタ座ＩＮ，ＯＵＴ１，ＯＵＴ２に嵌挿される筒状の接栓収容部７ａ，８ａ，９ａと，スリーブ７ｂ，８ｂ，９ｂとから成る。この前記接栓収容部７ａ，８ａ，９ａは金属材料を成型したものであり，本願の実施例では前記コネクタ座に摺動固着できるようバネ性を有するようにすり割りが形成されている。尚，取付け性を向上させるために前記接栓収容部の内周に弾性部材からなるバネ材を備えさせても良い。また，前記接栓収容部７ａ，８ａ，９ａの外周の先端部近傍には係止部１７，１８，１９が周面から外方向に突出するように一体的に形成されている。この係止部の具体的実施例について図３に示す。（ａ）は接栓収容部の周面から凸部を突設したものであり，（ｂ）は接栓収容部の周面に凹部を形成したものである。（ｃ）は金属製のリング（所謂，フェルール）のカシメ加工によって，接栓収容部を固着したコネクタ栓を示す。
尚，この係止部の具体的な実施例として，別体に形成されたリング状に形成した係止帯を取付けたものでもよいなど特に実施例に限定されるものではない。
【００１４】
次に，１０はコネクタ抜け防止具であり，本願の実施例では合成樹脂材を用いて金型成型したものであり，図における下面を開口させた箱状若しくはケース体に形成されており，該コネクタ抜け防止具１０の内部には，少なくとも前記分配器１の取付け面を除く部分を収納する空間１１が備えられている。
１２，１３，１４はコネクタ抜け防止具１０の開口端を切欠いて形成した凹部であり，該凹部１２，１３，１４は前記コネクタ抜け防止具１０をケース２の上面側から取付けたときに，前記接栓収容部７ａ，８ａ，９ａに形成された係止部１７，１８，１９と対向する位置に形成されると共に，該係止部１７，１８，１９と嵌合するように形成されている。
【００１５】
１５はコネクタ抜け防止具１０に一体的に形成された固着手段であり，この実施例においては，該コネクタ抜け防止具１０をケース２に取付けたときに，前記ケース２に形成した接続手段５に嵌合することによって，前記コネクタ抜け防止具１０をケース２に対して着脱自在に係止できると共に，この係止の状態から更にスライド等の操作によってコネクタ抜け防止具１０をケースにロック状態で固着できる２様の取付状態を保つように構成されており，コネクタ抜け防止具１０の側面から，両側にすり割りを形成しつつ下方向に延設した延設部１５ａの先端部にコネクタ抜け防止具１０の内方向に突設させた爪部１５ｂを備えている。
この実施例ではコネクタ抜け防止具１０の上面部に分配器等の電気的特性や型式や端子の識別等の表示をしておくと更に良い。
【００１６】
図２（ａ）にコネクタ抜け防止具１０をケース２に対してロックした状態の側面図を示し，その一部を破断してコネクタ抜け防止具１０の凹部１２，１３，１４と，前記接栓収容部７ａ，８ａ，９ａに形成された係止部１７，１８，１９との嵌合の状態を示している。
図２（ｂ）はコネクタ抜け防止具１０の異なる実施例を示す。この実施例によれば，コネクタ抜け防止具１０の上面には，前記分配器１の上面に固着された銘板６に対向する位置に所定の大きさの開口窓１０ｂを形成して，前記コネクタ抜け防止具１０をケース２に取付けた状態であっても銘板やケース表面に刻印等で表示された表示がコネクタ抜け防止具１０の外側からでも確認できるように構成されている。
更に，前記コネクタ抜け防止具１０を透過性の良い樹脂で形成すれば，前記開口部１０ｂを形成しなくても良いし，コネクタ抜け防止具１０に表示する必要も無いので，強度的にも使い勝手もよいコネクタ抜け防止具１０を提供できる。
【００１７】
次にコネクタ抜け防止具１０の取付方法について図４，図５を用いて更に詳細に説明する。
本願の実施例では，分配器のケース２に形成された接続手段５，５は，前記ケース２の側面にケース２の下端部から上端部に向かって形成され，その下端部から上端部にかけてケース２の内方向にわずかに狭くなるように傾けて形成した導入溝５ａと，この導入溝５ａの上部に有って，該導入溝５ａの形成方向と直交する方向に形成された凹部５ｂと，ケースの下端部に形成された固着部５ｃとからなり，本願の実施例ではケース２の左右の側面に対向させて配設された例を示している。
またコネクタ抜け防止具１０に形成された固定手段１５，１５は，このコネクタ抜け防止具１０をケース２に取付けた時に前記接続手段５，５と対向する位置に形成した狭持片であって，コネクタ抜け防止具１０の左右の側面略中央部から，両側にすり割りを形成しつつ下方向に延設され，ケース２の外方向と内方向に所定の力で傾動可能な弾性を有した所定の幅広に形成された延設部１５ａ，１５ａと，この延設部１５ａ，１５ａの先端部にコネクタ抜け防止具１０の内方向に突設させた爪部１５ｂ，１５ｂとを備えている。
【００１８】
このコネクタ抜け防止具１０の取付けにおいては，先ず延設部１５ａ，１５ａをケース２の導入溝５ａ，５ａに沿わせながらケースの上面側から取付ける。この時，延設部１５ａ，１５ａの先端部に形成された前記爪部１５ｂと１５ｂとの間隔は，ケース２に形成された導入溝５ａと５ａとの間隔と同じかやや短いように形成されているので，前記延設部１５ａ，１５ａは弾性変形することによって夫々外方向に広がりながら取り付けられる。  更に押し入れていくと，前記爪部１５ｂ，１５ｂがケース２の接続手段５，５に形成された凹部５ｂ，５ｂに達し，前記延設部１５ａ，１５ａには外方向に加わる力がなくなることによって元の形状に戻り，前記爪部１５ｂ，１５ｂが凹部５ｂ，５ｂと係合されて延設部１５ａ，１５ａがケース２を挟み込むように保持されることになり，コネクタ抜け防止具１０はケース２に係止された状態となる。この係止の状態におけるコネクタ抜け防止具１０は，コネクタ栓がケース２のコネクタ座ＩＮ，ＯＵＴ１，ＯＵＴ２に着脱自在となる位置に有るように形成されている。
尚この状態が請求孔に記載の取付状態の２様の内の係止された状態であり，この状態を図４（ａ）の側面図と図５（ａ）の一部断面図に示す。
【００１９】
更にこの係止の状態からコネクタ抜け防止具１０を下方向にスライドさせるのであるが，この時，前記爪部１５ｂ，１５ｂの下端が先端に向かって先細となるように形成されているので，この爪部１５ｂ，１５ｂの先端部下端は導入溝５ａ，５ａの底部に当接しながら下方向に向けて押付けられることになるので，延設部１５ａ，１５ａはこの時のカム作用によって外方向に押し広げられながら取り付けられる。
更にこの導入溝５ａ，５ａはケースの上方部から下方部にかけて外方向に広がるようにテーパ状に形成されており，コネクタ抜け防止具１０の更なるスライド操作によって前記延設部１５ａは更に外方向へ押し広げられるのである。この状態を図４（ｂ）の側面図と図５（ｂ）の一部断面図に示す。
【００２０】
更にコネクタ抜け防止具１０を下方向にスライドさせると，前記爪部１５ｂ，１５ｂはケース２の接続手段５の下端部に形成された固着部５ｃに係止される。この時，前記延設部１５ａ，１５ａの通常状態における内側間の寸法が，前記ケース２の固着部５ｃ，５ｃ間の寸法と同じかやや小さくなるように形成することによって，前記延設部１５ａ，１５ａが，その成形されている材料の弾性力によって固着部５ｃ，５ｃを強く狭持するのである。
更には固着部５ｃ，５ｃと当接する前記爪部１５ｂ，１５ｂの上側側面とコネクタ抜け防止具１０の上端面内側との寸法が，ケース２の固着部の下端とケース２上面との寸法と同じか僅かに小さくなるように形成することによって，該コネクタ抜け防止具１０とケース２は確実にロックされた状態となるのである。
尚，この状態が請求孔に記載の取付状態の２様の内のロックされた状態であり，この状態を図４（ｃ）の側面図と図５（ｃ）の一部断面図に示す。
【００２１】
このように構成されたコネクタ抜け防止具１０の作用と効果について説明する。分配器１には，本願の実施例に示す同軸Ｆ型コネクタ栓を備えた同軸ケーブル７，８，９を接続する。その後コネクタ抜け防止具１０をケース２にロックするのである。
このときコネクタ抜け防止具１０に形成した凹部１２，１３，１４の幅は，前記接栓収容部７ａ，８ａ，９ａが図の上下方向（所謂，コネクタ抜け防止具の取付け方向に）に対し挿通可能なように接栓収容部の周径よりやや大きくすると共に，前記コネクタ栓の抜け方向（所謂，コネクタ栓の軸線方向）に対しては，前記凹部１２，１３，１４の開口端周縁の内側部分が前記接栓収容部７ａ，８ａ，９ａに形成された係止部１７，１８，１９の側面の半周若しくは一部分が当接するように形成されることによって同軸ケーブルのＦ型コネクタ栓は，該Ｆ型コネクタ座の回転方向には回転自在に，引き抜け方向には引き抜けないように接続されるのである。
また，本願の実施例によれば，例えばコネクタ抜け防止具１０を出荷時点で，上述のような係止の状態若しくはロックの状態にしておくことによって，コンパクトな荷姿とすることができ輸送にかかるコストを安価にできるばかりでなく梱包材の削減を実現できるのである。更に取付時においてコネクタ抜け防止具１０が上述のような係止状態にあれば，ユーザーはコネクタ抜け防止具１０を備えたままで，設置の場所が壁面であっても天井であってもあらためてコネクタ抜け防止具１０を取付ける必要もなく，工事中に落下したり，どこかになくしてしまったりといったことがないと言った，極めて取付工事が簡単で利便性が高いコネクタ抜け防止具を提供できるのである。
【００２２】
本願の実施例としてテレビ共同受信用機器の好適な例として分配器を用いた例を示したが，特にこの実施例に限定されるものでなく，例えば図６の５０に示すようなテレビ端子や直列ユニットであってもよい事は言うまでもない。
この実施例ではダイキャストで形成されたケース５２の図示されていない分岐出力側に，係止片２７ａ，２７ａによってケース２０に挟持された端子カバー２７が取付けられている。この係止片２７ａ，２７ａとケースとの狭持部分に形成されている凹部がコネクタ抜け防止具２０の固着部５５ｃである。
このケース５２の両側面には接続手段５５が形成されている。この接続手段５５は前記実施例と同様に導入溝５５ａと凹部５５ｂとからなる。５３，５４はケース５２の下側面に一体的に形成されタコネクタ座であり夫々入力端子と出力端子を構成している。
コネクタ抜け防止具２０は一端を開口した合成樹脂で形成されており，長手方向の両端側には，ケース５２に形成された凹部５５ｂにおいてコネクタ抜け防止具２０とケース５２とが係止によって保持されるように構成されていると共に，前記固着部５５ｃにおいてコネクタ抜け防止具２０とケース５２とがロックするように構成した延設部２５，２５と，コネクタ栓の接栓収容部に形成された係止部に嵌合して，コネクタ栓の抜けを防止するための凹部２３，２４が形成されている。
また係止片２６ａ，２７ａの先端部とケース５２との間には，導入溝５５ａの底部に対して肉厚分だけの段差が生じる様に構成されている。この段差は前記実施例におけるケース２の側面のテーパーと同様な効果を得るためのものであり，これによって延設部２５，２５は段差において外方向に僅かに広げられ，このときに生じる延設部２５，２５の弾性による復元力によって固着部５５ｃ，５５ｃに確実にロックされるのである。
尚，本願の実施例においては，夫々一対からなる固着手段と接続手段とを形成した例を示したが，この実施例に限定されるものではなくケースの形状や大きさに対応して所定の場所に所定数の固着手段と接続手段を設けてもよい。
【００２３】
このように構成されたテレビ共同受信用機器及びコネクタ抜け防止具を用いたテレビ共同受信システムの工事例について図７を用いて説明する。
この実施例では例えばアンテナからの引込み線３２に分配器１を介し，信号を２分配して引き込む例を示している。一般的に分配器１は図に示す軒下３１や天井等に設置する場合が多い。このような設置工事のやりにくい場所に設置する場合の従来の施工方法は，分配器１等を天井等に設置してから，コネクタ栓が取付けられ所定ケーブル長に加工された同軸ケーブル３３，３４等を，前記分配器１のコネクタ座に接続するのであるが，通常の共同受信工事の場合は，接続の信頼性を高めるためにケース２に備えたコネクタ栓と同軸Ｆ型コネクタ座とは，雌螺子と雄螺子を螺合させて固着するように構成されたものを用い，例えば脚立４０や足場に乗った不安定な状態で上を向きながら，同軸ケーブル３１，３２，３３を設置場所の形状に合わせてから，周知の方法で固定して，コネクタ栓をレンチ等によってコネクタ座に固着する必要があり，施工者にとっては，上を向いた無理な状態を続けながらの作業となっていたので，危険性が高く作業性の悪いものであった。
【００２４】
したがって，例えば施工のやり易い床面等で同軸ケーブルを予め固着したとすると，分配器１を天井等に持ち上げるときに分配器１を上下反対にして取付け面を軒下の設置面に対向させるようにする必要があり，このときにコネクタ栓がコネクタ座に固着されていることによって，同軸ケーブルが捩れたり，コネクタ栓の取付部に負荷が加わったり，コネクタ栓が緩んでしまうといった問題があった。また，分配器を予め逆さにしておいて同軸ケーブルを接続する方法も考えられるのであるが，この場合は，銘板が下向きとなったり，端子の分別表示が見えなくなったりして，接続する端子の確認がやりにくいばかりでなく，最悪の場合，誤配線をしてしまうといった問題も有った。
【００２５】
これに対して本願のコネクタ抜け防止具１０を備えさせることによって，コネクタ栓とコネクタ座とが摺動固着によって摺動固着される取付け性の容易なコネクタであっても，簡単且つ安全であって短時間にコネクタ座からコネクタ栓が外れるこがない信頼性の高いコネクタ抜け防止具を備えたテレビ共同受信機器を提供できる。
また例えば予め同軸ケーブルの接続を，工事が簡単で且つ安全に行える床面等で行った後に，本願のコネクタ抜け防止具１０でもってロックすることによって，コネクタ栓はコネクタ座に対して回転方向には回転自在に，抜け方向に対しては抜けないように簡単且つ容易に固着されることから，同軸ケーブルの取付け後に分配器を軒下３１等に設置するだけでよく，設置工事が簡単且つ安全に短時間に行うことができると共に，コネクタ栓がコネクタ座から抜け難い信頼性の良い共同受信機器の配線システムが提供できるのである。
尚，本発明は上記実施の形態に限定されるものではなく，本発明の趣旨を逸脱しない範囲で各部の構成を適宜に変更して実施することも可能である。
【図面の簡単な説明】
【００２６】
【図１】本願に係るコネクタ抜け防止具の実施形態を示す斜視図である。
【図２】（ａ）は図１に示す実施形態の一部を破断した側面図である。（ｂ）はコネクタ抜け防止具の異なる実施形態の一部を破断した側面図である。
【図３】（ａ）コネクタ栓の係止部の形状を示す実施例であり。（ｂ）はコネクタ栓の係止部の異なる形状を示す実施例である。
【図４】はコネクタ抜け防止具の２様の取付状態を示す一部を破断した側面図である。
【図５】は図４の取付状態を示す一部断面図である。
【図６】は異なる実施例を示す斜視図である。
【図７】共同受信機器の取付け工事の一方法を示したものである。
【符号の説明】
【００２７】
１…分配器，２…ケース，３…係止爪，３ａ…透孔，５…接続手段，５ａ…導入溝，５ｂ…凹部，５ｃ…固着部，６…銘板，７・８・９…同軸ケーブル，７ａ・８ａ・９ａ…接栓収容部，７ｂ・８ｂ・９ｂ…スリーブ，８ｃ…フェルール，１０…コネクタ抜け防止具，１０ａ…補強部，１０ｂ…開口部，１２・１３・１４…凹部，１５…固着手段，１５ａ…延設部，１５ｂ…爪部，１７・１８・１９…係止部，２０…コネクタ抜け防止具，２２・２３…凹部，２５…延設部，２７…端子カバー，２７ａ…係止片，３０…建築物，３１…軒下（設置面），３２・３３・３４…同軸ケーブル，４０…脚立，５０…直列ユニット，５２…ケース，５３・５４…コネクタ座，５５…接続手段，５５ａ…導入孔，５５ｂ…凹部，５５ｃ…固着部
【図１】
2006210291.tif 000003
【図２】
2006210291.tif 000004
【図３】
2006210291.tif 000005
【図４】
2006210291.tif 000006
【図５】
2006210291.tif 000007
【図６】
2006210291.tif 000008
【図７】
2006210291.tif 000009